(57)【要約】  【課題】  台所等の壁面を有効利用することができ、ゴミ袋内のゴミが重い場合でも変形や破損することなくしかもゴミ袋へのゴキブリ等の侵入を防ぐことができるゴミ収容具を提供することにある。また、加えて、ゴミ回収の効率向上にも寄与するゴミ収容具を提供すること。【解決手段】      建物の壁面２に係止可能な支持体２１を有し、当該支持体２１のゴミ投入口２５の両脇にゴミ袋Ｈの各耳部（ｈ１，ｈ１）を吊下げ支持するための引っ掛け部（５５，５５）を形成するとともに、当該各耳部（ｈ１，ｈ１）を係止するクリップ（５５，５５）を設け、また、ゴミ投入口２５を開閉可能な蓋３１を設ける。  【選択図】      図１
2009113896.tif 000002
【特許請求の範囲】
【請求項１】
ゴミ袋を吊り下げた状態で支持可能な支持体を有し、
前記ゴミ袋は、ゴミを貯留可能で上端が開口されている貯留部および当該貯留部の開口部分の両端から突出するように形成された一対の耳部ならびに当該両耳部間に当該開口部分から突出するように形成された一対の舌部とからなり、
前記支持体は、その底面が開口した箱状とされており、その背面には建物の壁面の係止部材と係止可能な係止部が設けられ、また、その前側面又は上面にはゴミ投入口が開口形成されており、当該支持体のゴミ投入口の両脇には前記ゴミ袋の各耳部を引っ掛け可能な引っ掛け部が形成されているとともに、当該ゴミ袋を当該引っ掛け部に係止可能な袋係止部が設けられており、また、前記ゴミ投入口を開閉可能な蓋が設けられていることを特徴とするゴミ収容具。
【請求項２】
前記ゴミ袋は、柔軟性のある薄いシート状とされ、その貯留部は縦長に形成されたことを特徴とする請求項１のゴミ収容具。
【発明の詳細な説明】
【技術分野】
【０００１】
本発明は、ゴミ袋を使用したゴミ収容具に関する。
【背景技術】
【０００２】
例えば、家庭から出るゴミ（可燃ゴミ、不燃ゴミ等）は、ゴミ袋に詰めて近くのゴミ集積所に持っていき、そこに集まったゴミはゴミ回収車でゴミ処理施設まで運ばれて処理されるのが一般的である。
【０００３】
ここで、ゴミ袋をそのまま住居の床面に置いたのでは衛生的にも問題があるとともに見栄えも悪いので、ゴミ袋を使ったゴミ収容具が従来から種々提案されている（例えば、特許文献１〜３参照）。
【０００４】
特許文献１に係るゴミ収容具は、キッチン家具や洗面家具等の扉体に装着されるゴミ袋の吊り下げ具であって、扉体の前面に垂下する保持板の前面にゴミ袋の把手を掛けることのできる引掛片を上下に一対設けた構成とされている。
【０００５】
特許文献２に係るゴミ収容具は、ホルダー本体と、このホルダー本体に一定間隔をおいて設けられ、レジ袋の把手部を開いた状態で引っ掛けて吊り下げる一対の吊り掛け部と、机の横板Ｔ等の固定部材に係入してホルダー本体を保持する係止保持とゴミ箱等の縦壁部材に掛け止めする側面視下向きコ字形縦掛け係止部とを備えた構成とされている。これによれば、レジ袋を本来の美しい形を保持しながらゴミ袋として再使用することができて資源の再利用を図ることができると記載されている。
【０００６】
特許文献３に係るゴミ収容具は、壁面に固定される基体に弾力性を有するアームを両側方へ向けて形成し、各アームの先端部にゴミ袋の上縁一辺両端部を固定するクリップを取り付け、ゴミ袋の上縁一辺を基体に形成した抑制片の後方に抑制保持して、ゴミ袋の上縁他辺を前方へ引っ張ると、アームが撓んでゴミ袋が開口し、手を離すとアームが復元してゴミ袋Ｂが閉じる構成とされている。これによれば、ゴミ袋を壁面に吊り下げて、場所を取らずに多量のゴミを収容できると記載されている。
【０００７】
また、台所の床上にゴミ箱を置いておき、そこにゴミを投入して、当該ゴミ箱が一杯になったらゴミを上記ゴミ袋に移し変えることも考えられる。
【特許文献１】特開２００３−１０４５０３号公報
【特許文献２】特開平９−２９０９０１号公報
【特許文献３】特開２００４−２０３５５４号公報
【発明の開示】
【発明が解決しようとする課題】
【０００８】
ところで、特許文献１に係るゴミ収容具では、ゴミ袋にゴミを入れる際には一旦ゴミ袋の片方の把手を外してゴミ袋を開口しなければならず面倒な欠点を有する。
【０００９】
また、特許文献２に係るゴミ収容具では、ゴミ箱等の縦壁部材の存在が必要になり使用場所が限られてしまう欠点を有する。
【００１０】
また、特許文献３に係るゴミ収容具では、ゴミ袋に重量のあるゴミと収容した場合にはアームが回復不能なほど変形してしまったり破損してしまうおそれがある。また、アーム先端部のクリップのゴミ袋保持力が弱まると、ゴミ袋が落下してしまう欠点を有する。
【００１１】
また、ゴミ箱から上記ゴミ袋に移し変える方法では、ゴミ箱が台所の床を歩く人の足に引っかかりゴミを周囲に散乱させてしまうことがある。また、ゴミ袋に移しかえるのは煩雑である。
【００１２】
なお、ゴミ袋は、サイズや材質が決められていることが多い。図８に、一般的に使用されているゴミ袋ＧＨを示す。このゴミ袋ＧＨは、ポリエチレン製で厚みが０．３ｍｍ程度とされ、上部が開口されている長方形状の袋（例えば、容積４５リットルのゴミ袋で、横寸法ｗ０１＝６５０ｍｍ、縦寸法Ｌ０１＝８００ｍｍ）とされている。
【００１３】
かかるゴミ袋ＧＨにゴミを詰め込んでゴミ集積所に持っていく場合には、図９に示すように、当該ゴミ袋ＧＨの上部開口端の任意の対角線上にある縁部（ｇｈ１，ｇｈ１）を摘んで互いに内方へ変位させ、図１０に示すように、当該両者（ｇｈ１，ｇｈ１）を結んで（結び目ｇｂ）、ゴミが当該上部開口端から外部に出ないようにする。ここで、ゴミをゴミ袋ＧＨの上部開口端に達するまで詰め込むと、当該開口端を閉塞できないので、実際のゴミの収容高さＬ０２は規格縦寸法Ｌ０１より小さくなってしまう。例えば、規格縦寸法Ｌ０１＝８００ｍｍの場合、Ｌ０２は６５０ｍｍ程度となり、ゴミの実際の収容量が少なくなってしまう。また、上記した方法でゴミ袋ＧＨの上部開口端を閉塞すると、球体に近い形状となる。
【００１４】
このようなゴミ袋を使ってゴミ出しがなされると、ゴミ集積所がゴミ袋で溢れてしまうとともに、散乱しやすく、周辺環境に悪影響を及ぼす。また、ゴミ回収車へのゴミ積み込み効率が悪くなる。
【００１５】
本発明の目的は、台所等の壁面を有効利用することができ、ゴミ袋内のゴミが重い場合でも変形や破損することなくしかもゴミ袋へのゴキブリ等の侵入を防ぐことができるゴミ収容具を提供することにある。また、加えて、ゴミ回収の効率向上にも寄与するゴミ収容具を提供することを目的とする。
【課題を解決するための手段】
【００１６】
請求項１の発明は、ゴミ袋を吊り下げた状態で支持可能な支持体を有し、前記ゴミ袋は、ゴミを貯留可能で上端が開口されている貯留部および当該貯留部の開口部分の両端から突出するように形成された一対の耳部ならびに当該両耳部間に当該開口部分から突出するように形成された一対の舌部とからなり、前記支持体は、その底面が開口した箱状とされており、その背面には建物の壁面の係止部材と係止可能な係止部が設けられ、また、その前側面又は上面にはゴミ投入口が開口形成されており、当該支持体のゴミ投入口の両脇には前記ゴミ袋の各耳部を引っ掛け可能な引っ掛け部が形成されているとともに、当該ゴミ袋を当該引っ掛け部に係止可能な袋係止部が設けられており、また、前記ゴミ投入口を開閉可能な蓋が設けられていることを特徴とするゴミ収容具である。
【００１７】
上記構成の請求項１の発明の場合、一般住宅の台所等で一番面積が大きくしかも利用されていないと思われる壁面を利用して設置することができ、台所等のスペースを有効利用できる。
【００１８】
また、ゴミ袋が何らかの理由で傾いたとしても、当該ゴミ袋の耳部は袋係止部によって引っ掛け部に係止されているので、当該ゴミ袋が当該支持体から外れることを阻止できる。
【００１９】
また、支持体には、開口面積が大きくて一定のゴミ投入口が形成されているので、ゴミをゴミ袋に投入しやすい。また、支持体のゴミ投入口を蓋で閉鎖してしまえば、ゴミ袋は当該支持体によって外部から遮断されてしまうことになり、ゴキブリ等の侵入を防ぐことができる。
【００２０】
また、支持体は箱状で構造的に強く、ゴミ袋内のゴミが重い場合でも変形や破損することなく当該ゴミ袋を吊下げ支持できる。したがって、ゴミ袋が壁面から不用意に落下することがなく、ゴミが散乱してしまう事態が生じない。
【００２１】
請求項２の発明は、前記ゴミ袋は、柔軟性のある薄いシート状とされ、その貯留部は縦長に形成されたことを特徴とする特徴とする。
【００２２】
上記構成の請求項２の発明の場合、上記請求項１の発明と同様な作用・効果を奏するとともに、加えて、ゴミを当該ゴミ袋の貯留部に詰め込んで、その両耳部同士および両舌部同士をそれぞれ結んで、当該貯留部の開口部分を閉塞できる。このようにしても、ゴミ袋の貯留部は、従来のゴミ袋よりも縦長であるので、球体状にならず、例えば、当該ゴミ袋をゴミ集積所に立てた状態（または横に寝かせた状態）で置くことができる。これにより、ゴミ集積所に、ゴミ袋１個当りの占有面積を少なくした状態で整然と並べることができる。
【発明の効果】
【００２３】
請求項１の発明によれば、建物の壁面に係止可能な支持体を有し、当該支持体のゴミ投入口の両脇の引っ掛けぶにゴミ袋の耳部を引っ掛けた構成であるので、次のような効果を奏する。
（１） 
【００２４】
（２） 一般住宅の台所等で一番設置面積が大きくしかも利用されていないと思われる壁面を有効利用ができる。また、ゴミ収容具の床面に対する占有面積が小となる。
（３） 
【００２５】
（４） 本ゴミ収容具は歩行の邪魔にならず、人が躓いて中のゴミが散乱してしまうような事態は生じない。
（５） 
【００２６】
（６） ゴミ袋内のゴミが重い場合でも、当該ゴミ袋の上部開口部分が窄まって開口面積が減少してしまうようなことはなく、続いてゴミを円滑に収容できる。また、支持体のゴミ投入口を閉じてしまえばゴミ袋は外部から遮断されるので、当該ゴミ袋内へのゴミブリ等の侵入を防ぐことができ衛生的である。
（７） 
【００２７】
（８） ゴミが詰まったゴミ袋を支持体から取り外してゴミ集積所へ持って行く場合に、当該ゴミ袋の耳部同士を結ぶとともに舌部陶土を結んで当該ゴミ袋の開口部分を閉じることができるので、ゴミを外部に撒き散らすようなことは生じない。また、ゴミ袋の貯留部の上端部（上部開口端）近くまでゴミを詰めても上記したように開口部分を閉塞できるので、ゴミを見掛けよりも大量に詰めることができる。
【００２８】
また、請求項２の発明によれば、前記ゴミ袋の貯留部を縦長に形成したので、請求項１の発明と同様な効果を奏する他、ゴミ集積所において、複数のゴミ袋を相互の間隔を狭めつつ立てた状態で置くことができる。あるいは、上記複数のゴミ袋を相互の間隔を狭めつつ寝かせた状態で置くことができる。これにより、ゴミ集積所に、ゴミ袋１個当りの占有面積を少なくした状態で整然と並べることができ、ゴミ回収効率向上に寄与する。また、ゴミ集積所の整理整頓ができる。
【発明を実施するための最良の形態】
【００２９】
以下、本発明の実施の形態を図面を参照しながら説明する。
【００３０】
本発明に係るゴミ収容具１は、図１および図２に示すように、ゴミ袋Ｈを吊り下げた状態で支持可能な支持体２１を有している。
【００３１】
ここで、ゴミ袋Ｈは、図４に示すように、ゴミを貯留可能で上端が開口されている貯留部ｈ２と、当該貯留部ｈ２の上端（開口部分）の両端から突出するように形成された一対の耳部（ｈ１，ｈ１）と、当該両耳部（ｈ１，ｈ１）間に上記開口部分の上端から突出するように形成された一対の舌部（ｈ３，ｈ３）とからなっている。詳しくは、ゴミ袋Ｈは、ポチエチレン製とされており、その貯留部ｈ２の横寸法（ゴミ袋Ｈ全体の横寸法）ｗ１は例えば６５０ｍｍ、その縦寸法Ｌ３は例えば８００ｍｍとされており、横寸法：縦寸法＝１：１．２３の縦長とされている。また、一対の耳部（ｈ１，ｈ１）は、それぞれ内側の端部（ａ１，ａ１）だけ開口されており、その横寸法Ｌ４は例えば１７５ｍｍ、その縦寸法Ｌ２は例えば１５０ｍｍとされている。また、一対の舌部は、袋Ｈの貯留部ｈ２の表面および裏面の各上端ｕの中央から別個独立して突出するように形成されており、同一形状とされている。なお、図４において、長さＬ１はゴミ袋Ｈの全縦寸法であり、Ｌ２＋Ｌ３＝９５０ｍｍである。
【００３２】
また、支持体２１は、図２に示すように、その底面２４が開口した箱状とされており、その背面１１には建物の壁面２の係止部材（例えば、図７に示す釘５）と係止可能な係止部（止め穴１６）が設けられている。支持体２１は、前面と上面とを兼ねる傾斜面１３と、左右の側面（４１，４１）と、背面１１と、開口した底面２４とから形成されている。この実施形態では、支持体２１は、金属板を板金加工することにより形成されている。なお、この支持体２１を木製やプラスチック製としてもよい。
【００３３】
この支持体２１の傾斜面１３は、図３（Ａ）に示すように、上斜め前方に傾斜しており、その中央部にはゴミを投入するための開口部（ゴミ投入部２５）が形成されている。また、支持体２１には、ゴミ投入口２５を開閉可能な蓋３１が設けられている。この蓋３１は、支持体２１のゴミ投入口２５を完全に覆える面積を有しており、その一端３２がヒンジ３５を介して当該支持体２１のゴミ投入口２５の上端部に回動可能に装着されており、同図中上方向に回動することにより当該投入口２５を開放可能、かつ、同図中下方向に回動することにより当該投入口２５を閉鎖可能に構成されている。なお、同図において、３４は蓋３１の摘みである。
【００３４】
上記支持体２１のゴミ投入口２５よりも外側の部位には、図２に示すように、ゴミ袋Ｈの各耳部（ｈ１，ｈ１）が引っ掛けられた場合に当該ゴミ袋Ｈを支持可能な引っ掛け部（５１，５１）が形成されているとともに、当該ゴミ袋Ｈを当該引っ掛け部（５１，５１）に係止可能な袋係止部（５５，５５）が設けられている。この支持体２１の引っ掛け部（５１，５１）は、ゴミ袋Ｈの各耳部（ｈ１，ｈ１）と当接する領域であり、その他の部位よりも表面が粗くなるように形成されている。これにより、ゴミ袋Ｈの各耳部（ｈ１，ｈ１）との摩擦が大きくなり、ゴミ袋Ｈが摺り落ちないようにしている。なお、支持体２１の引っ掛け部（５１，５１）を、他の部位の表面よりも凹ませて形成してもよい。これにより、ゴミ袋Ｈが一段と確実に摺り落ちるのを防止できる。
【００３５】
この支持体２１の引っ掛け部（５１，５１）の所定部分には、ゴミ袋Ｈの各耳部（ｈ１，ｈ１）を挟んで係止可能な袋係止部（５５，５５）が設けられている。この実施形態では、袋係止部はクリップ（５５，５５）殻形成されている。  
【００３６】
特に、この実施形態では、支持体２１のゴミ投入口２５よりも下側の部位には、図３（Ａ）に示すように、ゴミ袋Ｈの貯留部ｈ２の上縁ｕが当該支持体２１から離れるのを阻止する袋規制部２６が設けられている。この実施形態では、袋規制部２６は、ゴミ投入口２５の下縁よりも下側の部位に当該下縁の水平方向長さと同等の長さで縦断面形状が下向きに開口するフック状になるように突出形成されている。
【００３７】
また、支持体２１の背面１１には、係止部としての止め穴１６が貫通形成されている。この支持体２１の止め穴１６は、図３（Ｂ）に示すように、水滴型とされ建物の壁面２に設けた固定軸部材（例えば釘５）と複数の接点〔左右に離れた２つの接点（ｔ１、ｔ２）〕で摩擦係合するので、固定軸部材５を支点として振り子運動のような不用意な動きはせず壁面２に確実に取り付けることが出来る。なお、ゴミ袋Ｈ内のゴミの重量が増すほど、上記固定軸部材５の止め穴１６と上記固定軸部材５とは複数の接点の圧力が増すので摩擦力も増えることになり、当該袋保持アーム１０は上記固定軸部材５を介して壁面２に一段と確実に固定されることになる。
【００３８】
なお、特に図７に示すように、ゴミ収容具１をそのゴム袋Ｈの底面が床面３に当接するように壁面２に掛ければ、支持体２１のゴミ投入口２５から手を差し入れてゴミを下方へ押し込んで圧縮して貯留部ｈ２内のゴミ収容量を増すことができる。
【００３９】
上記構成の本ゴミ収容具１の場合、一般住宅の台所等で一番設置面積が大きくしかも利用されていないと思われる壁面２を利用して設置することができ、台所等のスペースを有効利用できる。また、本ゴミ収容具１は床面（３）に放り出されるように置かれているわけではないので歩行の邪魔にならず、人が躓いて中のゴミが散乱してしまうような事態は生じない。
【００４０】
また、ゴミ袋Ｈ内のゴミが重い場合でも、当該ゴミ袋Ｈの上部開口部分（ｕ）が窄まって開口面積が減少してしまうようなことはなく、続いてゴミを円滑に収容できる。また、支持体２３１のゴミ投入口２５を閉じてしまえばゴミ袋Ｈの貯留部ｈ２は外部から遮断されるので、当該ゴミ袋Ｈ内へのゴミブリ等の侵入を防ぐことができ衛生的である。ここで、ゴミ袋Ｈの耳部（ｈ１，ｈ１）が、その内端ａ１を除いた面が支持体２１と密着していることも上記効果を奏するのに役立っている。
【００４１】
また、ゴミが詰まったゴミ袋Ｈを支持体２１から取り外してゴミ集積所Ｓへ持って行く場合に、当該ゴミ袋Ｈの両耳部（ｈ１，ｈ１）同士を結ぶ（図５の結び目ｂ）とともに両舌部（ｈ３，ｈ３）同士を結んで（結び目は図示省略）、当該ゴミ袋Ｈの開口部分を閉じることができるので、ゴミを外部に撒き散らすようなことは生じない。ここで、ゴミ袋Ｈの耳部（ｈ１，ｈ１）の表面積が大きいことが、当該ゴミ袋Ｈの開口部分を効果的に閉塞するのに役立っている。また、ゴミ袋Ｈの貯留部ｈ２の上端ｕ近くまでゴミを詰めても上記したように開口部分を閉塞できるので、ゴミを見掛けよりも大量に詰めることができる。
【００４２】
また、支持体２１に吊下げられているゴミ袋Ｈが何らかの理由で傾いたとしても、当該ゴミ袋Ｈの両耳部（ｈ１，ｈ１）は袋係止部（５５，５５）によって引っ掛け部（５１，５１）に係止されているので、当該支持体２１から外れることを阻止できる。
【００４３】
また、支持体２１のゴミ投入口２５は開口面積が大きくて一定であるので、ゴミをゴミ袋Ｈに投入しやすい。また、支持体２１のゴミ投入口２５を蓋３１で閉鎖してしまえば、ゴミ袋Ｈの貯留部ｈ２は当該支持体２１によって外部から遮断されてしまうことになり、ゴキブリ等の侵入を防ぐことができる。
【００４４】
また、支持体２１には、ゴミ袋Ｈの貯留部ｈ２の上縁ｕが当該支持体２１から離れてしまうのを阻止する袋規制部２６が設けられているので、当該ゴミ袋Ｈの開口部が窄まってしまうのを一段と確実に防止できる。これにより、ゴミを支持体２１のゴミ投入口２５を介して貯留部ｈ２への入れやすさを維持できるとともに、ゴミ袋Ｈの貯留部ｈ２へゴキブリ等が侵入するのを一段と確実に防ぐことができる。
【００４５】
また、支持体２１は箱状で構造的に強く、しかもゴミ袋Ｈ内のゴミの重さを２箇所（５１，５１）で担うので、当該ゴミが重い場合でも変形や破損することなく当該ゴミ袋Ｈを吊下げ支持できる。したがって、ゴミ袋Ｈが壁面２から不用意に落下することがなく、ゴミが散乱してしまう事態が生じない。
【００４６】
さらに、本ゴミ収容具１では、ゴミ袋Ｈの貯留部ｈ２を縦長に形成したので、図６に示すように、ゴミ集積所Ｓにおいて、複数のゴミ袋Ｈを相互の間隔を狭めつつ立てた状態で置くことができる。あるいは、上記複数のゴミ袋Ｈを相互の間隔を狭めつつ寝かせた状態で置くことができる（図示省略）。これにより、ゴミ集積所Ｓに、ゴミ袋１個当りの占有面積を少なくした状態で整然と並べることができ、ゴミ回収効率向上に寄与する。また、ゴミ集積所Ｓの整理整頓ができる。
【図面の簡単な説明】
【００４７】
【図１】本発明に係るゴミ収容具の全体構成を示す斜視図である。
【図２】本ゴミ収容具の構成を説明するための分解斜視図である。
【図３】支持体を示す縦断面図と止め穴を説明するための図である。
【図４】ゴミ袋の形状を説明するための正面図である。
【図５】ゴミ袋の開口部分を閉塞した図である。
【図６】ゴミ集積所に複数のゴミ袋を立てて収容した図である。
【図７】本ゴミ収容具を建物の壁面に掛ける方法を説明するための図である。
【図８】従来のゴミ袋を説明するための図である。
【図９】従来のゴミ袋の開口部分の閉塞方法を説明するための図（１）である。
【図１０】従来のゴミ袋の開口部分の閉塞方法を説明するための図（１）である。
【符号の説明】
【００４８】
１  ゴミ収容具
２    壁面
５  釘（固定軸部材）
１１    背面
１６    止め穴（係止部）
２１  支持体
２５  ゴミ投入口
２６  袋規制部
３１  蓋
４１  側面
５１  引っ掛け部
５５  クリップ（袋係止部）
【図１】
2009113896.tif 000003
【図２】
2009113896.tif 000004
【図３】
2009113896.tif 000005
【図４】
2009113896.tif 000006
【図５】
2009113896.tif 000007
【図６】
2009113896.tif 000008
【図７】
2009113896.tif 000009
【図８】
2009113896.tif 000010
【図９】
2009113896.tif 000011
【図１０】
2009113896.tif 000012